(57)【要約】【課題】本発明は、本発明は、断熱効果に加えて遮熱効果を奏すると共に、解体して持ち運び可能な組立式遮熱保温ケースを提案する。【解決手段】本発明に係る組立式遮熱保温ケースは、それぞれ対向する、上面と下面、左側面と右側面、前側面と後側面、からなる組立・解体自在な直方体状の函体と、前記函体の内部において、前記左側面と前側面（又は後側面）と右側面に当接させる一枚の側面遮熱シートと、前記函体の内部において、前記上面と後側面（又は前側面）と下面に当接させる一枚の上下面遮熱シートと、を有し、前記直方体状の函体は平面状に解体可能であり、この平面状に解体した該函体を、前記側面遮熱シート、前記上下面遮熱シートと共に平面状に重畳して収納可能である。【選択図】図１
2019196223.tif 000002
【特許請求の範囲】
【請求項１】
それぞれ対向する、上面と下面、左側面と右側面、前側面と後側面、からなる組立・解体自在な直方体状の函体と、
前記函体の内部において、前記左側面と前側面（又は後側面）と右側面に当接させる一枚の側面遮熱シートと、
前記函体の内部において、前記上面と後側面（又は前側面）と下面に当接させる一枚の上下面遮熱シートと、
を有し、
前記直方体状の函体は平面状に解体可能であり、
この平面状に解体した該函体を、前記側面遮熱シート、前記上下面遮熱シートと共に平面状に重畳して収納可能な組立式遮熱保温ケース。
【請求項２】
前記側面遮熱シートおよび上下面遮熱シートは、断熱気泡層の上面及び／又は下面にアルミ層が積層された、請求項１に記載の組立式遮熱保温ケース。
【請求項３】
前記函体は、上面、下面、左側面、右側面、前側面、後側面の隣接する面間に折り目を入れた一枚の段ボールで形成され、左側面、前側面、右側面、後側面の各側面が横方向に順に連結して閉じていると共に、該各側面の上下方向にそれぞれ上面と下面を構成する段ボール片が連結し、この上面と下面を構成する各々の該段ボール片間は開放されている、請求項１に記載の組立式遮熱保温ケース。
【発明の詳細な説明】
【技術分野】
【０００１】
本発明は、組立式遮熱保温ケースに関する。
【背景技術】
【０００２】
特許文献１には、「通常用いられるダンボール箱内へ挿置して断熱効果を高める搬送用の保温ケースであって、適宜な厚みを有する発泡スチロール樹脂板の該外面へ樹脂性フィルムをラミネートしたアルミ薄膜を蒸着して、箱状に組立てた際に側面を形成する全周側辺へ夫々の耳部を設けると共に縦巾方向と横巾方向の折少筋又は溝を設けて蓋体を有する箱状ケースに成る如くして、予め挿置すべき段ボール箱の内径幅に合致せしめた寸法によりプレス截断を施して当該展開状のシートを構成し、これを組上げた際に全周側辺に設けた耳部が該ケースの面と重な合う状態となって隙間を無くし、更には樹脂フィルムをコーティングしたアルミ薄膜面が、より気密性を高めて冷気の散失を防ぐ効果を生じせしめると共に、ケースの欠落等を大巾に極減できる如く成したことに特徴とする搬送用保温ケース」が開示されている。ダンボール箱内へ挿置する保温ケースは折畳可能であるが、外面へアルミ薄膜を蒸着した発泡スチロール樹脂板により断熱効果を高めているので、重くて折畳み時に嵩張るので持ち運びは容易とはいえない。また、発泡スチロール樹脂板の該外面へアルミ薄膜を配しているので、遮熱効果を発揮することができない。
【０００３】
【特許文献１】実開昭６１−１０４７９号公報
【発明の概要】
【発明が解決しようとする課題】
【０００４】
そこで、本発明は、断熱効果に加えて遮熱効果を奏すると共に、解体して持ち運び可能な組立式遮熱保温ケースを提案する。
【課題を解決するための手段】
【０００５】
本発明に係る組立式遮熱保温ケースは、それぞれ対向する、上面と下面、左側面と右側面、前側面と後側面、からなる組立・解体自在な直方体状の函体と、前記函体の内部において、前記左側面と前側面（又は後側面）と右側面に当接させる一枚の側面遮熱シートと、前記函体の内部において、前記上面と後側面（又は前側面）と下面に当接させる一枚の上下面遮熱シートと、を有し、前記直方体状の函体は平面状に解体可能であり、この平面状に解体した該函体を、前記側面遮熱シート、前記上下面遮熱シートと共に平面状に重畳して収納可能である。
【０００６】
本発明に係る組立式遮熱保温ケースにおいて、前記側面遮熱シートおよび上下面遮熱シートは、断熱気泡シートの上面及び／又は下面にアルミ箔が貼着されたことを特徴とする。
【０００７】
本発明に係る組立式遮熱保温ケースにおいて、前記函体は、上面、下面、左側面、右側面、前側面、後側面の隣接する面間に折り目を入れた一枚の段ボールで形成され、左側面、前側面、右側面、後側面の各側面が横方向に順に連結して閉じていると共に、該各側面の上下方向にそれぞれ上面と下面を構成する段ボール片が連結し、この上面と下面を構成する各々の該段ボール片間は開放されるのが好適である。
【０００８】
なお、本明細書において、「断熱」とは、壁などの物体が、その両側の温度の高い一方から温度の低い他方への熱伝導を遅延して、熱伝導量を少なくする作用をいう。また、「遮熱」とは、同様に壁などの物体が、その両側の一方から来る熱射線を、その物体の表面反射を利用して遮断し、他方側への伝導量を０にするか、あるいは著しく少なくする作用をいう。また、「保温ケース」とは、ケース内外で熱エネルギーの出入りを「断熱」及び「遮熱」して、ケース内の温度を一定に保つことをいい、ケース内の温度をケース外より高く保つ「保温」、および、ケース内の温度をケース外より低く保つ「保冷」の両義を含むケースとする。
【発明の効果】
【０００９】
本発明に係る組立式遮熱保温ケースは、直方体状の函体に上下面遮熱シートと側面遮熱シートとを嵌入させて形成するが、この直方体状の函体は平面状に解体可能であるため、この解体した函体を、側面遮熱シート及び上下面遮熱シートと共に平面状に重畳して収納可能である。函体は段ボールで形成可能であり、側面遮熱シート及び上下面遮熱シートは共に断熱気泡層の上面及び／又は下面にアルミ層が積層された薄くて軽量なシートであるため、本発明の組立式遮熱保温ケースは、ビニール等の収納袋に３枚に重ねて収容し、容易に持ち歩くことができる。
【００１０】
本発明に係る組立式遮熱保温ケースは、主として函体の段ボール層内の空隙、遮熱シート（上下面遮熱シート、側面遮熱シート）内の断熱気泡層が熱伝導を遮断する。また、上下面遮熱シートと側面遮熱シートにおいて、アルミ層が断熱気泡層中を伝導し得る熱射線を遮断することができる。したがって、本発明の組立式遮熱保温ケースは、従来の断熱保温ケースが奏する断熱効果に加えて、大気（外界）などからの熱射線を遮断する遮熱効果を奏することができ、優れた保冷・保温効果を発揮することができる。
【００１１】
比較実験の結果、５００ｍｌの氷袋を入れた本発明に係る組立式遮熱保温ケースは、箱外の温度に対して約１８時間、安定して１０℃以上の保冷効果を維持し、２４時間経過しても４℃の保冷効果を維持した。同じく５００ｍｌの氷袋を入れた通常の段ボールに対しても、約１８時間経過まで８℃以上の保冷効果を維持、２４時間後でも３．５℃の保冷効果を示すことができた。
【図面の簡単な説明】
【００１２】
【図１】本発明に係る組立式遮熱保温ケースの組み立て方法を表す斜視図。
【図２】本発明に係る組立式遮熱保温ケースの解体平面図（展開図）。
【図３】本発明に係る側面遮熱シートおよび上下面遮熱シートの断面図。
【図４】本発明に係る函体の（ａ）折畳み正面図、（ｂ）立体化工程の組み立て斜視図、（ｃ）折り曲げ工程の組み立て斜視図、（ｄ）組み立て完成斜視図。
【図５】実施例における保冷性能の比較実験の結果を表すグラフ図。
【発明を実施するための最良の形態】
【００１３】
以下、図面を参照しながら、本発明に係る組立式遮熱保温ケースの実施形態について説明する。なお、以下各図面を通して同一の構成要素には同一の符号を使用するものとする。
【００１４】
本発明に係る組立式遮熱保温ケース１は、図１に示すように、直方体状の函体１０に上下面遮熱シート２０と側面遮熱シート３０とを嵌入させて形成する。この直方体状の函体１０は平面状に解体可能であり、本発明の組立式遮熱保温ケース１は、この平面状に解体した函体１０を、側面遮熱シート３０及び上下面遮熱シート２０と共に平面状に重畳して収納可能である。
【００１５】
上述のように、函体１０は組立・解体自在であり、展開図の一例を示す図２のように、組立て時にそれぞれ対向する、上面１０Ｕと下面１０Ｄ、左側面１０Ｌと右側面１０Ｒ、前側面１０Ｆと後側面１０Ｂ、から構成される（図１下段）。
【００１６】
側面遮熱シート３０は、組立てた函体１０の内部において、左側面１０Ｌと前側面１０Ｆ（又は後側面１０Ｂ）と右側面１０Ｒにそれぞれ当接させる面３０Ｌ、３０Ｆ（又は３０Ｂ）、３０Ｒが連続した一枚のシートである（図１中段）。同様に、上下面遮熱シート２０は、函体１０の内部において、上面１０Ｕと後側面１０Ｂ（又は前側面１０Ｆ）と下面１０Ｄにそれぞれ当接させる面２０Ｕ、２０Ｂ（又は２０Ｆ）、２０Ｄが連続した一枚のシートである（図１上段）。
【００１７】
例えば、解体した函体１０の一例と、上下面遮熱シート２０及び側面遮熱シート３０を示す図２（展開図）を参照すると、展開された一枚の函体１０と上下面遮熱シート２０及び側面遮熱シート３０とを重畳して収納袋などに収納することができる。あるいは、函体１０の左側面１０Ｌと右側面１０Ｒとを下面１０Ｄ方向に折り込んで、収納袋に収納することができる。
［遮熱シート］
【００１８】
本発明に係る組立式遮熱保温ケース１において、上下面遮熱シート２０および側面遮熱シート３０は、図３に示すように、それぞれ断熱気泡層２２および３２の上面と下面に、それぞれアルミ層２４および３４が積層されたことを特徴とする。上述のように、「遮熱」とは、その両側の一方から来る熱射線を、その物体（シート）の表面反射を利用して遮断し、他方側への伝導量を低減させる作用である。本発明に係る側面遮熱シート３０および上下面遮熱シート２０は、図３のように、気泡２３を内包する断熱気泡層２２がアルミ層２４間に挟持されており、一方側のアルミ層２４から気泡２３を介して伝導される熱射線を、他方側のアルミ層２４が表面反射により遮断することができる。
【００１９】
また、上述のように、「断熱」とは、シートなど物体が、その両側の温度の高い一方から温度の低い他方への熱伝導を遅延して、熱伝導量を少なくする作用をいう。本発明の組立式遮熱保温ケース１は、側面遮熱シート３０と上下面遮熱シート２０の断熱気泡層２２、および函体１０を構成する段ボールの空気層が断熱効果を奏することができる。
【００２０】
したがって、本発明に係る組立式遮熱保温ケース１は、上記のように側面遮熱シート３０および上下面遮熱シート２０が遮熱及び断熱効果を、函体１０が断熱効果を奏するため、非常に効果的に保冷・保温効果を発揮することができる。
［函体］
【００２１】
函体１０は、図１、図２のように、直方体に組み立てられるのが好適であるが、平面状に解体できるのであれば、組立て完成時の箱の形状は特に限定されない。函体１０の材料も、好ましくは段ボールのように、平面状に解体できる断熱性材料であれば特に限定されない。
【実施例１】
【００２２】
本発明に係る組立式遮熱保温ケース１において、図４（ａ）〜（ｄ）に一例として示す函体１０は、上面１０Ｕ、下面１０Ｄ、左側面１０Ｌ、右側面１０Ｒ、前側面１０Ｆ、後側面１０Ｂの隣接する面間に折り目を入れた一枚の段ボールで形成され、左側面１０Ｌ、前側面１０Ｆ、右側面１０Ｒ、後側面１０Ｂの各側面が横方向に順に連結して閉じている。同時に、これら各側面の上下方向にそれぞれ上面１０Ｕと下面１０Ｄを構成する段ボール片が連結し、この上面と下面を構成する各々の段ボール片１０Ｕ、１０Ｄ間は開放されている。
【００２３】
図４（ａ）〜（ｄ）は、実施例１に係る発明に係るの組み立て工程を順に表しており、それぞれ（ａ）折畳み正面図、（ｂ）立体化工程の組み立て斜視図、（ｃ）折り曲げ工程の組み立て斜視図、（ｄ）組み立て完成斜視図である。
【００２４】
図４（ａ）の折畳み状態の函体１０は正面図を示しており、前側面１０Ｆの裏面には左側面１０Ｌが連結され、右側面１０Ｒの裏面には後側面１０Ｂが連結されて、左側面１０Ｌと後側面１０Ｂの端辺が裏面側で連結されている。図４（ｂ）の立体化工程では、連結された前側面１０Ｆと左側面１０Ｌ間及び右側面１０Ｒと後側面１０Ｂ間を離間させて立体化させる。そして、左側面１０Ｌ、前側面１０Ｆ、右側面１０Ｒ、後側面１０Ｂの各側面の上下に連結された各上面１０Ｕと下面１０Ｄを構成する段ボール片を、図４（ｃ）のように内側に折り曲げて、図４（ｄ）の完成した函体１０を得る。
［実験］
【実施例２】
【００２５】
上記実施例１に係る組立式遮熱保温ケース１と通常の段ボール箱を用いて、保冷性能の比較実験を行った。
【００２６】
（試料）市販の段ボール箱に、高性能遮断熱シート（ＳＤＮ−ＳＨＥＥＴ（登録商標）；福登建設株式会社）を、図１に示すように内設して組立式遮熱保温ケース１を作製した。
（実験方法）
（１）上記組立式遮熱保温ケース１と市販の段ボール箱内に、それぞれ５００ｍｌの氷を袋に入れて載置した。
（２）組立式遮熱保温ケース１と市販の段ボール箱内に温度計を設置し、これらを２４時間、部屋の中に載置した。
（３）氷袋を入れた組立式遮熱保温ケース１と市販の段ボール箱内の温度を、室温と共に２４時間計測した。
【００２７】
（実験結果）
上記比較実験の結果、図５のグラフを得た。この結果から表１を得、以下のことが明らかになった。
（１）氷袋を入れた市販の段ボール箱でも、２４時間後、箱内温度は１．５℃ほど室温より低かったが、氷袋を入れた組立式遮熱保温ケース１の箱内温度は、４℃程度も室温より低かった。
（２）氷袋を入れた組立式遮熱保温ケース１の箱内温度のグラフの変曲点が、試験開始後１８時間付近に出現した。他方、氷袋を入れた市販の段ボール箱では、グラフの変曲点は試験開始後１１時間付近に出現した。
（３）したがって、氷袋を入れた組立式遮熱保温ケース１では、試験開始後１８時間程度まで安定して低温（１０℃以下）を維持することができ、２４時間後でも十分保冷効果を発揮した。
【００２８】
【表１】
2019196223.tif 000003
【００２９】
以上、本発明に係る組立式遮熱保温ケースについて説明したが、本発明は上記実施形態や実施例に限定されるものではない。本発明に係る組立式遮熱保温ケースにおいて、函体の形状は様々な形態をとることが可能で、適宜変更可能である。また、本発明に係る組立式遮熱保温ケースを構成する函体や断熱気泡層、遮熱シートなどの材料、材質、種類等も特に限定されない。
【００３０】
その他、本発明は、その主旨を逸脱しない範囲で当業者の知識に基づき種々の改良、修正、変更を加えた態様で実施できるものである。
【産業上の利用可能性】
【００３１】
本発明に係る組立式遮熱保温ケースは、例えば食品や飲み物など、１日程度保温又は保冷したい物品の保存、運搬などに利用することができる。
【符号の説明】
【００３２】
１：本発明に係る組立式遮熱保温ケース
１０：函体
１０Ｕ：上面
１０Ｄ：下面
１０Ｌ：左側面
１０Ｒ：右側面
１０Ｆ：前側面
１０Ｂ：後側面
２０：上下面遮熱シート
２０Ｌ、２０Ｆ、２０Ｂ、２０Ｒ：当接させる面
３０：側面遮熱シート
３０Ｌ、３０Ｆ、３０Ｂ、３０Ｒ：当接させる面
２２、３２：断熱気泡層
２３、３３：気泡
２４、３４：アルミ層
【図１】
2019196223.tif 000004
【図２】
2019196223.tif 000005
【図３】
2019196223.tif 000006
【図４】
2019196223.tif 000007
【図５】
2019196223.tif 000008